(57)【要約】【課題】各遊技者の好みに合ったギャンブル性を提供しつつ、依存症対策にも貢献することが可能な遊技場用管理システムを提供する。【解決手段】遊技場用管理システムにおいて、遊技場の管理者は、依存症対策に取り組む会員が自ら申告した貸出単価を実際に選択しているか否かを、モニタ６ｍの画面８１で確認することができるので、各会員の取組状況を客観的に把握した上で適切な支援を行うことができる。【選択図】図８
2019195569.tif 000002
【特許請求の範囲】
【請求項１】
予め設定された複数の単価の中から遊技者が任意に選択した単価の遊技価値を用いて遊技を行うように構成された遊技装置と、
会員として登録された遊技者が所有する前記遊技価値、及び当該遊技者の遊技結果を示す遊技データを、会員識別情報と対応付けて管理する管理装置と、を備えた遊技場用管理システムにおいて、
前記管理装置は、
前記複数の単価の中で前記会員から予め申告された単価を前記会員識別情報と対応付けた申告単価として記憶する申告単価記憶手段と、
前記会員が遊技装置において実際に選択した単価を特定し、前記会員識別情報と対応付けた選択単価として記憶する選択単価記憶手段と、
特定の会員識別情報と対応付けられた前記申告単価と前記選択単価とを照合し、当該選択単価が当該申告単価に適合するか否かを判定する単価判定手段と、
この単価判定手段による判定結果を表示する表示手段と、を備えたことを特徴とする遊技場用管理システム。
【請求項２】
前記単価判定手段による判定結果が適合となった適合会員の数と、当該判定結果が不適合となった不適合会員の数とをそれぞれ計数する計数手段と、
この計数手段による計数結果に基づいて、前記適合会員及び前記不適合会員それぞれの割合を算出する算出手段と、を備えたことを特徴とする請求項１に記載した遊技場用管理システム。
【請求項３】
遊技場内における前記遊技装置のレイアウトを示すレイアウト表示画面において、各遊技装置で遊技をしている会員の前記単価判定手段による判定結果を、各遊技装置と対応付けて表示するレイアウト表示手段を備えたことを特徴とする請求項１又は２に記載した遊技場用管理システム。
【請求項４】
前記レイアウト表示手段は、前記レイアウト表示画面において、前記申告単価記憶手段に前記申告単価を記憶していない会員が遊技している遊技装置を識別可能に表示することを特徴とする請求項３に記載した遊技場用管理システム。
【発明の詳細な説明】
【技術分野】
【０００１】
本発明は、遊技場用管理システムに関する。
【背景技術】
【０００２】
近年、ギャンブル依存症が大きく問題視されており、各遊技場はその対策として様々な手段を講じようとしているところである。例えば特許文献１には、遊技者の遊技時間や負けの程度に基づいて遊技にのめり込んでいる遊技者を検出し、その遊技者に対して遊技を控えるよう促すことが記載されている。また一方で、例えば特許文献２に記載されているように、遊技者が任意で貸出単価を選択することができるシステムも知られている。このようなシステムを採用することにより、１台の遊技機で各遊技者の好みに合ったギャンブル性を提供できるという利点がある反面、ギャンブル依存症の遊技者は最も高い貸出単価ばかりを選択し、依存症をますます助長してしまうという欠点がある。
【先行技術文献】
【特許文献】
【０００３】
【特許文献１】特開平１０−１５１２６５号公報
【特許文献２】特開平１１−０９００１８号公報
【発明の概要】
【発明が解決しようとする課題】
【０００４】
本発明は、上記した事情に鑑みてなされたもので、その目的は、各遊技者の好みに合ったギャンブル性を提供しつつ、依存症対策にも貢献することが可能な遊技場用管理システムを提供することにある。
【課題を解決するための手段】
【０００５】
遊技場の管理者は、依存症対策に取り組む会員が自ら申告した貸出単価を実際に選択しているか否か確認することができるので、各会員の取組状況を客観的に把握した上で適切な支援を行うことができる。
【図面の簡単な説明】
【０００６】
【図１】本発明の一実施形態を示す全体構成図
【図２】遊技機とともに示すカードユニットの正面図
【図３】カードユニットを中心に示す機能ブロック図
【図４】遊技者の申告や支援者の申請に応じて登録されるデータであって、（ａ）は会員属性データ、（ｂ）はサポート家族データ、を示す説明図
【図５】管理装置で管理・集計されるデータであって、（ａ）は会員所有価値データ、（ｂ）は一般所有価値データ、（ｃ）は会員遊技履歴データ、（ｄ）は会員遊技集計データ、を示す説明図
【図６】カードユニットの表示部における、会員カード挿入時の画面
【図７】特別会員用のメッセージを表す遷移画面
【図８】管理装置のモニタにおける画面であって、（ａ）は依存症遊技者の遊技状況表示画面、（ｂ）は貸出単価の選択状況表示画面
【図９】携帯端末の表示部における画面遷移を表す説明図
【図１０】サポート対象者の来店ＰＵＳＨ通知画面
【発明を実施するための形態】
【０００７】
以下、本発明の一実施形態について図面を参照しながら説明する。図１に例示する３つの遊技場Ａ，Ｂ，Ｃでは、各遊技者の遊技状況を管理する共通のシステム（遊技場用管理システム１００）が構築されていることから、以下では、遊技場Ａの構成を中心に説明するものとする。
【０００８】
遊技場Ａ内には、複数の遊技機１が設置されており、各遊技機１に対応してカードユニット２及び遊技情報表示装置３がそれぞれ付設されている。遊技機１、カードユニット２及び遊技情報表示装置３は、２台ずつ中継装置４に接続されている。中継装置４は、ＬＡＮ５を介して管理装置６に接続されている。
【０００９】
また、遊技場Ａ内には、精算装置７や景品交換端末（以下、ＰＯＳ）８も設置されており、これら精算装置７やＰＯＳ８もＬＡＮ５を介して管理装置６と接続されている。精算装置７は、一般カードや会員カード（図３に符号９，１０で示す）がカード挿入口７ａに挿入されると、図示しないカードリーダライタでカード９，１０を読取って入金残高を特定し、その入金残高に対応する紙幣や硬貨を返却口７ｂから払い戻す返却処理を行う。ＰＯＳ８は、付属するカード処理機８ａでカード９，１０を読取って遊技価値（持玉数・貯玉数）を特定し、その遊技価値に基づき景品交換処理を行う。尚、持玉とは当日中に計数した玉であり、貯玉とは前日以前に計数した玉である。
【００１０】
管理装置６は、遊技場Ａ内の例えば事務所等に設置されており、モニタ６ｍ、キーボード６ｋ等が接続されている。管理装置６は、遊技機１、カードユニット２、遊技情報表示装置３等、上記した各種機器から出力される遊技データを入力することで、各種機器の稼動状況、遊技者が所有する遊技媒体（つまり遊技価値としての持玉数や貯玉数）、入金残高、会員登録された会員毎の遊技状況等を記憶管理する。尚、図１では図示を省略したが、同図のパチンコ機の他、所謂スロットマシンも含めて例えば数百台の遊技機１が管理装置６の管理対象となっている。
【００１１】
図２に示すように、遊技機１は所謂封入式のＣＲ（カードリーダ）パチンコ機である。この遊技機１は、遊技者が所有する入金残高や持玉数、貯玉数を変換した遊技玉数を記憶しており、その遊技玉数を消費して玉を発射するように構成されている。つまり、遊技機１が記憶している遊技玉数が残っていることを条件として内部の玉を発射装置により盤面１１に発射可能となる。遊技機１の下部には、前記発射装置を構成する操作ハンドル１２が設けられるとともに、盤面１１の下方には、遊技玉数を示す遊技玉表示部１３と、遊技玉を持玉へ変換するための計数ボタン１４とが並設されている。盤面１１には、液晶表示部（特図表示部）１５、始動口１６、大入賞口１７を有する。
【００１２】
遊技機１は以下のように動作する。
（１）始動口１６は入賞率が変動しない入賞口（所謂ヘソ入賞口。所謂電チューでもよい）であり、始動口１６への入賞（始動入賞）に応じて大当り抽選を行い、抽選結果を液晶表示部１５にて行う図柄変動（単位遊技）にて報知し、その変動結果に応じて大当りや小当りとなる。
【００１３】
（２）図柄変動中に始動入賞した場合には所定の保留上限値（例えば４つ）まで図柄変動を累積的に保留し、図柄変動終了後に保留している図柄変動を開始する。尚、保留している図柄変動数（保留数）が上限値である状態で始動入賞した場合、図柄変動は保留されない。
【００１４】
（３）遊技機設定値（以下、モード）が６段階で設けられ、このモードにより、大当り抽選の当選確率（大当り確率）を、通常遊技状態（通常状態、通常）と確率変動状態（確変状態、確変）とを対象として調整可能である。また、大当り後に確変となる大当り（確変大当り）となる割合である確変率（例えば６６％で全モード共通）も定められる。大当り確率をモードにより不変とする一方、確変率を調整可能とするように、通常と確変との大当り確率や確変率、及びラウンド振分率等の少なくとも１つがモードにより調整可能であればよい。
【００１５】
（４）大当りが発生すると対応するラウンド（Ｒ）分だけ大入賞口１７を開放する。１Ｒの上限入賞数は１０個、上限開放期間は３０秒であり、上限入賞数または上限開放期間の何れかが満たされた場合に１Ｒを終了する。対応するラウンドも大当り抽選と同様に抽選され、その振分率は例えば４Ｒが１０％で８Ｒが５０％で１５Ｒが４０％に設定されている。
【００１６】
（５）確変中は大当り確率が向上するとともに、始動口１６が電チューのときその入賞率が高くなる時短状態（時短）になる。また、確変大当りでない大当り（通常大当り）が発生した場合は大当り後に確変でない時短（単独時短）となり、所定の時短回数（例えば１００回）分の図柄変動を行うか大当りが発生するまで時短を継続し、大当りが発生せずに時短回数分の図柄変動を行うと通常状態に戻る。
【００１７】
以上は一の機種を例にして説明したが、例示した値は例えば他の機種であればラウンドの振分が異なる等、機種に応じて様々な値となり、遊技性も異なる。
図２に示すように、カードユニット２は、各遊技機１に対応して設けられた遊技装置である。カードユニット２は、遊技機１の遊技状態等を示す状態表示用ＬＥＤ２１、紙幣が投入される紙幣投入口２２、その投入口２２への紙幣投入の可否を示す入金表示用ＬＥＤ２１ａ、周知のＣＭＯＳセンサやＣＣＤセンサ等の撮像素子を含むカメラ２３（同図２ではカメラカバー２３ａを図示）、入金残高や持玉数・貯玉数等を表示するタッチパネル式の液晶表示部２４、従業員が携帯するリモコン（図示略）からの信号を受けるリモコン受光部２５を有する。また、カードユニット２は、払出ボタン２６、貸出ボタン２７ａ、及び返却ボタン２７ｂを有するとともに、一般カード９或いは会員カード１０が挿入されるカード挿入口２８を有する。
【００１８】
図３の機能ブロック図は、カードユニット２の構成を中心に示している。カードユニット２の制御部２０は、ＣＰＵ２０ａ、ＲＯＭ２０ｂ、ＲＡＭ２０ｃ、Ｉ／Ｏ２０ｄ等を有するマイクロコンピュータを主体に構成されている。制御部２０に接続された周辺部としては、上記した表示用ＬＥＤ２１，２１ａ（フルカラーＬＥＤ）、液晶表示部２４、各ボタン２６，２７ａ，２７ｂを含むとともに、管理装置６や遊技機１との間で各種信号や各種情報を送受信するＩ／Ｆ部２０ｅ、紙幣投入口２２に投入された紙幣の真贋を判定する紙幣処理部２２ａ、液晶表示部２４上に設けられたタッチパネル２４ａ、カード挿入口２８に挿入されたカード９，１０に記憶されている各種情報を読取ったり、書込んだりするカードＲＷ（リーダライタ）２８ａ、最大１０枚の一般カード９をストック可能なカードストック部２８ｂ等を含む。これに対し、カメラ２３は、制御部２０に接続されることなく、図１に示すように４台ずつ画像処理装置３０と接続されている。画像処理装置３０は、ＬＡＮ５を介して管理装置６に接続されている。
【００１９】
一般カード９は、当日限り有効なカードであり、ＩＣチップ９ａが内蔵されている。ＩＣチップ９ａには、カードを特定可能な一般ＩＤが記憶されているとともに、カードユニット２に入金された入金残高や持玉数が記憶される。この一般カード９の持玉数は当日のみ有効で、入金残高は翌日以降も利用可能とされている。
【００２０】
会員カード１０は、予め設定されている有効期限（例えば３年間）まで有効なカードであり、ＩＣチップ１０ａが内蔵されている。ＩＣチップ１０ａには、会員として登録された遊技者を特定可能な会員識別情報（会員ＩＤ）が記憶されているとともに入金残高や持玉数が記憶される。会員カード１０に対応する持玉数や貯玉数は管理装置６の会員口座に記憶される。この会員カード１０の持玉数、貯玉数、並びに入金残高は、翌日以降も利用可能とされている。
【００２１】
カードユニット２は以下のように動作する。
（１）紙幣を受付する（貨幣受付処理）と、その入金金額（１０００円単位）を記憶するとともに、液晶表示部２４に入金金額を入金残高に加算して表示する。このとき、１度数（５００円）は、単価（後述する貸出単価としてのレート）が例えば４円であれば１２５玉であるから、入金残高に相当する遊技玉数（貸出可能な遊技玉数）を液晶表示部２４に表示してもよい。
【００２２】
（２）貸出ボタン２７ａの操作（貸出操作）に応じて入金残高の範囲内で１度数分ずつ遊技玉数データ（遊技玉数を特定可能なデータ）として遊技機１へ送信するとともに、貸出単価に応じた対価分を入金残高から減算する。つまり、貸出操作に応じて１度数分を貸出玉として遊技玉に変換する貸出処理を行い、その貸出処理によって加算される遊技玉で遊技可能となる。
【００２３】
（３）対応する遊技機１は所謂封入式で、盤面１１に打ち出された玉は循環し、入賞した場合であっても遊技機１外には払出されない。そこで、カードユニット２は上記した遊技玉数の管理、つまり盤面１１への玉の打出し（使用）に応じた遊技玉数の減算、入賞に応じた遊技玉数の加算（入賞付与処理）を行う。
【００２４】
また、カードユニット２は持玉数や貯玉数を管理しており、持玉や貯玉は直接的には遊技に使用できないが、払出ボタン２６の押下に応じて持玉数又は貯玉数（会員遊技者の場合）の範囲内で１度数ずつ遊技玉数に変換する変換処理（対価付与処理）を行い、その遊技玉数データを遊技機１へ送信する。この場合、変換率を別途設けてもよいが、本実施形態では１:１としている。以下の計数処理についても同様である。
【００２５】
（４）遊技に応じて遊技機１の遊技玉数が増加した場合、計数ボタン１４の押下に応じて遊技機１から受信した遊技玉数データを、計数玉数データとして持玉数に変換する（計数処理）。この場合、１回の押下に応じて１玉が変換対象となるが、押下した状態を継続させると連続的、且つ加速的に変換可能となる。こうして遊技玉数と持玉数とが更新（記憶）され、カードユニット２では入金残高や持玉数が残存する状態で返却ボタン２７ｂの押下により発行操作を行うと、その入金残高や持玉数をカード挿入口２８に挿入されている一般カード９に記憶して発行する。会員カード１０が挿入されている場合も、入金残高や持玉数を会員カード１０に記憶して発行する。カード挿入口２８に何れのカード９，１０も挿入されていない場合は、カードストック部２８ｂにストックしている一般カード９を図示しない記録媒体移動手段によりカードＲＷ２８ａに繰出して、そのカード９に入金残高及び持玉数を記憶して発行する（発行処理）。
【００２６】
尚、カードストック部２８ｂのカード９が無くなったとき、状態表示用ＬＥＤ２１において、エラー状態を表し、従業員によりカード９が挿入口２８から補充されると正常状態に復帰する。
【００２７】
（５）発行処理は遊技機１における遊技玉数データに応じた発行条件が設けられ、本実施形態では遊技玉数が所定数（０）以下となることで発行条件が成立し発行処理が可能となる。よって、遊技機１と一定間隔（例えば２００ｍｓ毎に）で通信（アウトやセーフ等の情報も含む）を行い、遊技への使用や計数処理等により遊技玉数が０になるとその旨がカードユニット２に通知され、発行条件が成立すると発行処理が許容される。この場合、遊技機１から遊技玉数データを受信することで遊技玉数を更新して発行条件が成立した旨を特定すればよいが、遊技玉数が０になった旨を示す信号を別途受信するような他の特定方法を採用してもよい。
【００２８】
（６）一般カード９がカード挿入口２８に挿入された場合は、一般カード９に記憶されている入金残高及び持玉数をカードＲＷ２８ａにより読出して液晶表示部２４に表示する。会員カード１０が挿入された場合は、会員カード１０に記憶されている入金残高や持玉数を読出して液晶表示部２４に表示し、又、暗証番号の入力を条件として貯玉数を管理装置６から受信して表示する。
【００２９】
カードユニット２は、上記した機能の他、以下の（ａ）遊技データ及び（ｂ）カードデータを中継装置４経由で管理装置６へ送信する機能を有する。
（ａ）遊技データ（遊技機１の稼動状況を示すデータであり、次の信号を含む）
・打込信号：遊技機１に対して打込まれた遊技玉数を示す。
・払出信号：遊技機１から払い出された遊技玉数を示す。
・大当たり信号：遊技機１で大当たりが発生していることを示す。
・スタート信号：大当たりの発生契機となる電動役物が作動（図柄変動）したことを示す。
【００３０】
（ｂ）カードデータ（カード９，１０に関するデータ）
・一般カードデータ：前記一般ＩＤ、カード９の挿入口２８での挿入・発行日時、入金残高、持玉数、貸出単価等のデータ。
・会員カードデータ：前記会員ＩＤ、カード１０の挿入口２８での挿入・返却日時、入金残高、持玉数、貯玉数、貸出単価等のデータ。
カードユニット２のカメラ２３は、所定周期毎に（例えば４秒毎に）撮像し、その撮像した画像を画像処理装置３０に送信する。カメラ２３の撮像視野は、遊技者が遊技機１に対して正対している状態で当該遊技者の顔を含む領域となるように設定されている。
【００３１】
画像処理装置３０は、４台のカメラ２３から送信される各画像を１秒間隔で取込み、その取込んだ画像を分析することにより、当該画像の中に遊技者の顔画像が存在するか否かを判定し、顔画像が存在すると判定すると、その顔画像を管理装置６に送信する。この点、カメラ２３から送信される画像に遊技者が含まれていても、その遊技者が例えば不自然な方向を向く等して不自然な姿勢で遊技していれば、画像処理装置３０により顔画像を認識できないため、その画像を管理装置６に送信しない場合がある。
【００３２】
尚、画像処理装置３０から顔画像を受信した管理装置６は、同一人物判定及び要注意人物判定を行う。同一人物判定では、受信した顔画像に対して例えば特徴点の抽出等の画像処理を行い、当日の顔画像データベースに既に登録されている顔画像と照合して、同一人物か否かを判定する。照合した顔画像が未だ顔画像データベースに登録されていない顔画像（つまり新規の遊技者）であると判定すると、顔ＩＤを付与して当日の顔画像データベースに登録するとともに、その顔ＩＤを遊技データと対応付けて記憶する。一方、顔画像が既に顔画像データベースに登録されている顔画像（つまり既知の遊技者）であると判定すると、その顔ＩＤに対応付けている遊技データを更新する。要注意人物判定では、その顔画像と、要注意データベースに登録されている顔画像とを照合し、同一人物の顔画像が要注意データベースに登録されているか否かを判定する。同一人物の顔画像が要注意データベースに登録されていると判定すると、要注意人物が来店した旨を例えばインカム等により遊技場の従業員に報知する。
【００３３】
図３に示す管理装置６の制御部６０（以下、適宜「管理装置６」と略す）は、マイクロコンピュータを主体に構成され、ＲＯＭやＲＡＭといった記憶部６０ａや、Ｉ／Ｏ等を備えており、その記憶部６０ａに記憶された制御プログラムに従い動作する。また、管理装置６は、上記したカードユニット２等の各種機器から送信される各種の遊技データを管理する（図５（ｃ）等参照）。管理装置６における表示手段としてのモニタ６ｍは（図１参照）、例えばフルカラー表示可能な液晶表示装置で構成されている。
【００３４】
そして、管理装置６は、図１に示す公衆通信回線（インターネット、バーチャルプライベートネットワーク（ＶＰＮ）等）３２に接続可能となっており、センターに設置されている管理サーバ３１と公衆通信回線３２等を介して通信可能である。遊技場Ｂ、Ｃでも遊技場Ａの同等の構成が実現されており、遊技場Ｂ、Ｃの管理装置６（図示略）についても、遊技場Ａの管理装置６と同様、公衆通信回線３２に接続可能とされている。
【００３５】
また、図１の携帯端末３３は、例えばスマートフォンといった携帯可能な携帯端末装置である。携帯端末３３は、そのユーザと通信事業者との間で所定の契約を締結することにより通信事業者から提供される各種通信サービスを受けることが可能で、公衆通信回線３２を通じて管理装置６と通信可能である。携帯端末３３は、ＣＰＵ、ＲＯＭ、ＲＡＭ等を含む制御部、公衆通信回線３２に接続するデータ通信部、電話する際の送話音声を入力するマイクロホン、画面上でタッチ操作を受付ける（入力を受付けるタッチパネル）機能と各種情報を表示する機能とを有する液晶表示部３３ａ等を備えている。
【００３６】
管理サーバ３１は、公衆通信回線３２を介して、遊技場Ａ〜Ｃの管理装置６と通信可能に接続されている。管理サーバ３１は、各遊技場Ａ〜Ｃにおける各種の遊技データを記憶するとともに、携帯端末３３等のＯＳ（Operating System）に対応する後述のアプリケーションソフトを記憶しており、管理サーバ３１から携帯端末３３へとアプリケーションソフトをダウンロードすることができる。また、管理サーバ３１や遊技場Ａ〜Ｃの管理装置６は、アプリケーションソフトを携帯端末３３で実行する前提として照合されるユーザアカウント（アカウントＩＤ、図４（ｂ）参照）や、以下に説明する対象者や支援者のメールアドレス等も記憶しており、メールサーバとして機能する。
【００３７】
ところで、「従来技術」で述べたように、近年のギャンブル依存症の問題について、遊技場もその対策を講じようとしているところである。この点、上記したカードユニット２のような遊技装置において、遊技者が任意で選択した貸出単価の遊技価値を用いて遊技を行うように構成されていれば、各遊技者の好みに合ったギャンブル性を提供できるという利点がある反面、ギャンブル依存症の遊技者は最も高い貸出単価ばかりを選択し、依存症をますます助長してしまうという欠点がある。
【００３８】
そこで、本実施形態の管理装置６は、複数の単価の中で会員から予め申告された単価を会員ＩＤと対応付けた申告単価として記憶しておき、その申告単価と当該会員がカードユニット２において実際に選択した単価（選択単価）とを照合して、当該選択単価が当該申告単価に適合するか否かを判定する。そして、この判定結果をモニタ６ｍで表示することにより（後述の図８参照）、遊技場Ａの管理者は、依存症対策に取り組む会員が自ら申告した貸出単価を実際に選択しているか否かを確認できるようになっている。
【００３９】
係る遊技場用管理システム１００の構成について、遊技場Ａにて会員登録を行った遊技者を例に、図４以降の図面も参照しながら詳述する。ここで、図４（ａ）（ｂ）は、管理装置６において登録された会員及びその家族に関するデータを示している。
【００４０】
即ち、図４（ａ）は、一の遊技者の会員属性データを示している。会員属性データは、会員登録を行った遊技者の「氏名」「性別」「年齢」「職業」「住所」「メールアドレス（同図で携帯メアドと略す携帯端末の電子メールアドレス）」「依存症対策」「申告単価」のデータを含み、その会員ＩＤたる「会員No.」と対応付けて管理装置６の記憶部６０ａに記憶されている。こうした会員属性データは、例えば遊技場Ａで予め会員登録を行うときに遊技者が記入した会員登録用紙（つまり図示しない用紙での自己申告）をもとに、管理装置６に対して入力される。
【００４１】
同図（ａ）における「依存症対策」のデータは、会員登録時に依存症対策に取り組む旨の自己申告により、依存症対策「あり」として管理装置６で登録される。これにより、依存症対策「あり」として登録された特定の会員は特別会員とされ、依存症対策「なし」の通常会員と区別される。
【００４２】
また、「申告単価」は、予め設定された複数の貸出単価（例えば「１円」「２円」「４円」の３種類。図６参照）の中で会員から予め申告された貸出単価であって、その自己申告に応じて会員ＩＤと対応付けた申告単価として記憶される特別会員向けの単価である。申告単価は、ギャンブル性を抑えるという意識付けを行う観点から、通常は最も高い貸出単価（４円）以外の貸出単価（１円及び／又は２円）が申告され、その申告された貸出単価が申告単価記憶手段たる記憶部６０ａに記憶される。尚、申告単価は、その申告において１円、２円、４円の貸出単価のうちの何れか１つ又は２つを選択可能であり、同図４（ａ）では、申告単価「１円」が選択・記憶された例を示している。
【００４３】
図４（ｂ）は、サポート家族データを示している。サポート家族データは、会員として登録された遊技者の家族の「アカウントＩＤ」「メールアドレス」「パスワード」「端末ＩＤ」のデータを含み、その会員の会員ＩＤと対応付けて管理装置６の記憶部６０ａに記憶されている。つまり、サポート家族データは、遊技者の家族が所持する携帯端末３３からサポート家族データの登録申請があった場合に受付けられるデータであって、「アカウントＩＤ」や「パスワード」は、後述する認証（ログイン）に用いられ、「メールアドレス」や「端末ＩＤ」は、当該携帯端末３３を特定するデータである。このように、サポート家族データは、遊技者の家族が所有乃至所持する携帯端末３３の送信先情報を含む。また、「遊技者の家族」とは、会員として登録された遊技者を対象者として、依存症回復に取り組むサポーターとなりうる者（以下「サポート家族」と称する）であるから、対象者の親類や知人等も挙げられ、家族に限るものではない。
【００４４】
図５（ａ）〜（ｄ）は、遊技者の実際の遊技に関して管理装置６で管理・記憶されるデータを示している。このうち、図５（ａ）は、一の会員の会員所有価値データを示している。会員所有価値データは、会員として登録された遊技者が所有する遊技価値つまり「入金残高」「持玉数」「貯玉数」のデータを含み、その会員の会員ＩＤと対応付けて管理装置６の記憶部６０ａに記憶される。
【００４５】
この会員所有価値データのうち、持玉数と貯玉数はそれぞれ、同図５（ａ）に示す「４円」「２円」「１円」の貸出単価毎の口座に区別して記憶される。係る会員所有価値データは、該当する会員カード１０を用いた遊技に応じて、前記発行処理時等に送信される会員カードデータに基づき管理装置６により更新される。
【００４６】
これに対し、図５（ｂ）は、前記一般カードデータに基づき管理装置６により更新（記憶）される一般所有価値データを示している。一般所有価値データは、「入金残高」「持玉数」のデータを含み、一般カード９の一般ＩＤたる「カードNo.」と対応付けて管理装置６の記憶部６０ａに記憶される。一般所有価値データの持玉数も、「４円」「２円」「１円」の貸出単価毎の口座に区別して記憶される。
【００４７】
尚、詳しくは後述するように、申告単価の申告をしていない遊技者は、遊技に際して上記した１円、２円、又は４円の何れかの貸出単価をカードユニット２にて任意で選択することができる一方、申告単価の申告をした特別会員は、その申告単価を意識付ける画面７１，７２上で（図７参照）、貸出単価を選択する。この場合、選択した貸出単価の口座に、持玉（或いは貯玉）として遊技価値を所有している遊技者は、その選択した貸出単価の口座の持玉数の範囲内で再プレイが可能となる。
【００４８】
図５（ｃ）は、一の営業日における一の会員（遊技者）の遊技結果を示す遊技データを、会員ＩＤと対応付けた会員遊技履歴データとして表している。会員遊技履歴データは、遊技機１の「遊技機No.」、その遊技機１で会員がカードユニット２において実際に選択した「貸出単価」の他、当該遊技機１での「使用金額」「打込玉数」「払出玉数」「大当たり回数」「持玉数」のデータを含む。これらのデータは、当該遊技機１での「遊技開始」と「遊技終了」の時刻（遊技時間）に対応付けて、管理装置６の記憶部６０ａに記憶される。
【００４９】
同図（ｃ）の「遊技開始」と「遊技終了」の時刻は、会員カードデータのカード挿入・返却時刻に相当する。また、同図（ｃ）では、係るカード１０の挿抜により区分された遊技時間帯［1］〜［3］のうち、［2］の遊技時間帯だけ貸出単価４円、他の遊技時間帯［1］［3］に貸出単価１円で貸出処理を行った例を示している。このように、管理装置６は、カードユニット２において実際に選択された貸出単価を各時間帯［1］〜［3］で特定して、選択単価記憶手段たる記憶部６０ａに、会員ＩＤと対応付けた選択単価として記憶する。
【００５０】
図５（ｄ）は、図５（ｃ）の会員遊技履歴データを営業日単位で集計した会員遊技集計データを示している。管理装置６は、会員遊技集計データについて、当該営業日における「使用金額」「打込玉数」「払出玉数」「大当たり回数」のそれぞれの集計値を求める。
【００５１】
尚、上記した図４、図５の各データは、管理装置６においてモニタ６ｍへの表示出力並びに図示しない印刷装置への印刷出力が可能である。
続いて、上記構成の作用について「１．カードユニットにおける表示処理」、「２．管理装置における表示処理」、「３．携帯端末における表示処理」の順に、図６〜図１０も参照しながら説明する。
【００５２】
＜１．カードユニットにおける表示処理＞
カードユニット２は、カード挿入口２８にカード９，１０が挿入されたとき、そのカード９，１０のカードデータを読取って管理装置６に送信する。管理装置６は、カードユニット２から受信したカードデータが会員ＩＤを含むとき、登録されている会員属性データの会員ＩＤを検索して、その会員の依存症対策の有無のデータ並びに申告単価を特定可能なデータ（両データを「依存症対策に係るデータ」と称す）をカードユニット２に返信する。これにより、カードユニット２は、管理装置６から受信した依存症対策に係るデータに基づいて、対応する遊技機１で遊技を行う遊技者が通常会員として登録されていることを特定した場合、液晶表示部２４に図６の画面６１を表示させる。
【００５３】
この会員カード１０挿入時の画面６１には、遊技種別（パチンコ／スロット）と挿入中のカード９，１０の種別（一般／会員）とを表す欄６１ａ、メッセージ表示領域６１ｂ、入金残高及び持玉数を表す欄６１ｃが設けられている。また、同画面６１のメッセージ表示領域６１ｂには、貸出単価「１円」「２円」「４円」を選択するための選択ボタン６２ａ，６２ｂ，６２ｃが表示されるとともに、「貸出単価を選択してください」とのメッセージが表示される。
【００５４】
これに対し、カードユニット２は、管理装置６から受信した依存症対策に係るデータに基づいて、対応する遊技機１で遊技を行う遊技者が特別会員として登録されていること並びに申告単価を特定した場合、液晶表示部２４に図７の画面７１を表示させる。
【００５５】
この会員カード１０挿入時の画面７１（メッセージ表示領域６１ｂに対応する部分のみを図示）では、貸出単価「１円」「２円」「４円」の選択ボタン６２ａ，６２ｂ，６２ｃのうち、特定した申告単価（例えば１円）以外の貸出単価の選択ボタン６２ｂ，６２ｃをグレーアウト表示する（抑制表示Ｍを付する）とともに、「貸出単価を選択して下さい！  １円のみ選択することが自己申告済みです」とのメッセージを表示する。
【００５６】
この場合、カードユニット２は、特別会員が遊技を開始するときに選択ボタン６２ａ〜６２ｃの何れか１つをタッチ操作することにより選択した実際の貸出単価が、当該特別会員の申告単価に適合するか否かを判定するとともに、その判定結果に基づいた表示を行う。具体的には例えば、カードユニット２は、当該特別会員の申告単価として１円を特定しているときに、実際の貸出単価として４円（又は２円）の選択ボタン６２ｂ（又は６２ｃ）がタッチ操作されると、特別会員の申告単価に適合しないと判定して、その判定結果に基づき、図７の画面７１から右の画面７２に遷移する。
【００５７】
この画面７２では、係る判定結果が申告単価の不適合を示す場合の画面として、会員に対してその旨を示すメッセージとして「“４円”は自己申告した貸出単価と異なりますがよろしいですか？」と表示するとともに、「ＹＥＳ」ボタン７２ａと「ＮＯ」ボタン７２ｂとを表示する。この場合、カードユニット２では、同画面７２のＹＥＳボタン７２ａがタッチ操作されると、４円の貸出単価での前記貸出処理を許容する一方、ＮＯボタン７２ｂがタッチ操作されると、前の画面７１に戻るため、再度貸出単価の選択をやり直すことができる。
【００５８】
このように、カードユニット２では、特別会員に対して、液晶表示部２４にて申告単価に応じた表示Ｍやその判定結果に基づく画面７２表示が行われることにより、予め申告した申告単価を貸出単価として選択する意識付けを行うことができる。また、特別会員以外の遊技者は、液晶表示部２４の画面６１で選択ボタン６２ａ〜６２ｃのタッチ操作により、任意の貸出単価を選択することができる。こうして、選択された１円、２円、４円の何れかの貸出単価で前記貸出処理が行われ、或いは選択された貸出単価の口座の持玉数（又は貯玉数）の範囲内で再プレイが可能となる。
【００５９】
また、カードユニット２では、管理装置６から受信した依存症対策に係るデータと申告単価に係る判定結果に基づいて、対応する遊技機１で遊技を行う遊技者が、「非依存症遊技者」と「単価選択不適合者」と「単価選択適合者」と「申告単価未設定者」との何れであるか（後述の図８（ａ）参照）を特定可能である。つまり、カードユニット２は、図７の画面７２でＹＥＳボタン７２ａをタッチ操作して、申告単価以外の貸出単価を選択した特別会員を「単価選択不適合者」として特定する一方、申告単価を表すボタン６２ａ（抑制表示Ｍのないボタン）のタッチ操作により、申告単価と同じ貸出単価を選択した特別会員を「単価選択適合者」として特定する。また、カードユニット２は、依存症対策無しの通常会員或いは非会員を「非依存症遊技者」、依存症対策有りで且つ申告単価の設定の無い特別会員を「申告単価未設定者」としてそれぞれ特定する。
【００６０】
これにより、カードユニット２は、特定された非依存症遊技者、単価選択不適合者、単価選択適合者、若しくは申告単価未設定者、又は遊技機１の「非稼動」について、フルカラー表示可能な状態表示用ＬＥＤ２１により、それぞれ異なる点灯色で区別して表示する。尚、状態表示用ＬＥＤ２１の点灯色は、次に述べる管理装置６のモニタ６ｍにおける、非依存症遊技者等の表示色にそれぞれ対応するものとする。
【００６１】
＜２．管理装置における表示処理＞
管理装置６は、上記した依存症対策に係るデータやカードユニット２にて選択された実際の貸出単価等のデータに基づいて、図８（ａ）の画面８１や（ｂ）の画面８２を、モニタ６ｍで表示する。
【００６２】
ここで、図８（ａ）は、遊技場Ａ内におけるカードユニット２のレイアウト８１Ｌを示すレイアウト表示画面８１で各遊技者の遊技状況を示している。同図に例示するように、画面８１には、遊技島のカードユニット２の配置に対応付けて、各ユニット２（各遊技機１）毎に割り当てられた台番「１」〜「１４０」が表示される。この場合、各遊技機１の台番（或いは台番の背景色）は例えば、現時点において、遊技機１が「非稼動」のときは白色、「非依存症遊技者」が遊技中のときは青色、「単価選択不適合者」が遊技中のときは赤色、「単価選択適合者」が遊技中のときは緑色、「申告単価未設定者」が遊技中のときは橙色、というようにそれぞれ異なる表示色で表されるものとする。
【００６３】
また、画面８１下側の欄８１ａには、管理装置６により集計された「非稼動」の台数と「非依存症遊技者」〜「申告単価未設定者」のそれぞれの台数（人数）とが表示されるとともに、「１４０」台番までの遊技者数に占める「非依存症遊技者」〜「申告単価未設定者」のそれぞれの割合が百分率で表される。
【００６４】
即ち、管理装置６は単価判定手段として、カードユニット２で受付けられているカード１０の会員ＩＤに申告単価が対応付けられている場合、その会員ＩＤ（特定の会員ＩＤ）に対応付けられた申告単価と当該カードユニット２で実際に選択された選択単価とを照合し、当該選択単価が当該申告単価に適合するか否かの判定を行う。また、管理装置６は計数手段として、当該判定結果が適合となった適合会員の数（つまり単価選択適合者数）と、当該判定結果が不適合となった不適合会員の数（つまり単価選択不適合者数）とをそれぞれ計数するとともに、依存症対策無しの通常会員や非会員の数（つまり非依存症遊技者数）と、依存症対策有りで且つ申告単価の設定の無い特別会員の数（つまり申告単価未設定者数）とをそれぞれ計数する。そして、管理装置６は、係る計数結果に基づいて、「１４０」台番までの遊技者数に占める単価選択適合者、単価選択不適合者、非依存症遊技者、申告単価未設定者の、それぞれの割合を算出する算出手段として機能し、画面８１上の欄８１ａに、算出結果を百分率で表示する。
【００６５】
また、同画面８１において、各カードユニット２で遊技をしている会員或いは遊技者の前記単価判定手段による判定結果を、各カードユニット２のレイアウト８１Ｌと対応付けて、単価選択適合者のときはその台番部分を緑色、単価選択不適合者のときはその台番部分を赤色というように、識別可能に表示する。更に、同画面８１において、記憶部６０ａに申告単価を記憶していない会員、つまり申告単価未設定者のときはその台番部分を橙色、非依存症遊技者のときはその台番部分を青色というように、該当する遊技者が遊技しているカードユニット２をそのレイアウト８１Ｌと対応付けて識別可能に表示する。
【００６６】
他方、各カードユニット２においては、状態表示用ＬＥＤ２１の点灯色により、対応する遊技機１で遊技中の遊技者が「非依存症遊技者」〜「申告単価未設定者」の何れであるかを視認することができる。それ故、遊技場側としては、従業員が状態表示用ＬＥＤ２１の点灯色を視認することにより、或いは図示しないインカムを介して管理装置６から従業員へ報知することにより、従業員が、単価選択不適合者に対して自己申告した単価を選択するように助言する対応を取り得る。また、従業員が、申告単価未設定者に対して、申告単価を自己申告するように助言する対応を取り得る。
【００６７】
図８（ｂ）は、図８（ａ）の画面８１と並べてモニタ６ｍに表示され或いは画面８１に代わる別画面として表示される、レイアウト表示画面８２を示している。この画面８２では、カードユニット２のレイアウト８２Ｌ上で貸出単価の選択状況を表示する。同画面８２における各遊技機１の台番は例えば、現時点において、遊技機１が「非稼動」のときは白色、対応するカードユニット２にて選択された実際の選択単価が「１円」のときは青色、「２円」のときは緑色、「４円」のときは赤色、というようにそれぞれ異なる表示色で表されるものとする。
【００６８】
また、画面８２下側の欄８２ａには、管理装置６により集計された「非稼動」の台数と貸出単価（１円〜４円）別の台数とが表示されるとともに、「１４０」台番までの稼動中の台数に占める貸出単価別の台数の割合が百分率で表される。
【００６９】
これにより、遊技場Ａの管理者は、同画面８２では、現時点における貸出単価の分布状況を台番毎に把握することができる。また、同画面８２と他方の画面８１と照らし合わせることで、申告単価に係る４つのカテゴリー（非依存症遊技者〜申告単価未設定者）に分類される遊技者と、その遊技者の実際の選択単価を容易に把握することができる。上記したレイアウト表示画面８１，８２を表示させるモニタ６１ｍ及び管理装置６の制御部６０は、レイアウト表示手段に相当する。
【００７０】
＜３．携帯端末における表示処理＞
上記した遊技場用管理システム１００が提供する依存症対策のサービスを利用するために、管理サーバ３１から携帯端末３３へアプリケーションソフトを、サポート家族の携帯端末３３にダウンロードして、サポート家族データに係る情報を登録しておく。これにより、携帯端末３３は、登録されたアカウントＩＤやパスワードの認証を条件としてアプリケーションソフトを実行することで、その液晶表示部３３ａに図９に示す画面９１を表示させる。
【００７１】
図９の画面９１は、携帯端末３３に表示される依存症回復サポートに係るメニュー画面を表す。メニュー画面９１には、「サポート対象者登録」ボタン９１ａ、「サポート対象者履歴確認」ボタン９１ｂが設けられている。また、メニュー画面９１の下部には、ログアウトするための「終了」ボタン９１ｄが設けられている。
【００７２】
メニュー画面９１で「サポート対象者登録」ボタン９１ａがタッチ操作されると、同図９で右側のサポート対象者登録画面９２に遷移する。サポート対象者登録画面９２には、遊技場Ａで会員登録した会員の「氏名」「年齢」「パスワード」をそれぞれ入力する欄９２ａと、「登録」ボタン９２ｂ及び「戻る」ボタン９２ｃとが設けられている。各欄９２ａに入力した情報は、サポート家族によりサポートされる遊技者（対象者）の識別情報であり、「登録」ボタン９２ｂのタッチ操作で携帯端末３３から送信される。管理装置６は、管理サーバ３１を介して携帯端末３３から受信した識別情報に基づき、その対象者の会員ＩＤに関連付けたサポート家族データとして管理する（図４（ｂ）参照）。
【００７３】
こうして、携帯端末３３を用いて登録した遊技者を対象者として「サポート対象者履歴確認」を行うことができる。尚、サポート対象者登録画面９２において「戻る」ボタン９２ｃがタッチ操作されると、メニュー画面９１に復帰する。また、サポート家族による対象者の登録は、サポート家族一人（１台の携帯端末３３）あたり、対象者１０人分まで可能である。
【００７４】
メニュー画面９１で「サポート対象者履歴確認」ボタン９１ｂがタッチ操作されると、同図９で右下側のサポート対象者履歴確認画面９３に遷移する。サポート対象者履歴確認画面９３では、複数の対象者について上記識別情報の登録が行われている場合には、その対象者リスト（図示略）から選択された対象者の過去１年分の遊技履歴を表す。この遊技履歴は、対象者の遊技データの履歴としての「日付」「時間」「使用金額」「収支」といった項目を含む欄９３ａで表示される。
【００７５】
この他、サポート対象者履歴確認画面９３において、「次頁」ボタン９３ｂがタッチ操作されると、４月１日以降の遊技履歴の欄９３ａが表示され、「戻る」ボタン９３ｃがタッチ操作されると、２月４日以前の遊技履歴の欄９３ａが表示される（或はメニュー画面９１に復帰する）。
【００７６】
こうして、サポート家族は、自身の携帯端末３３にて対象者の登録、遊技履歴の確認を行うことができる。他方、管理装置６は、対象者が遊技場Ａに来店してカードユニット２にて会員カード１０を挿入口２８に挿入したとき、当該カードユニット２から送信される当該カード１０の会員ＩＤが対応付けられているサポート家族データを検索して、そのサポート家族の携帯端末３３に対して公衆通信回線３２経由で対象者の来店通知を行う。
【００７７】
この通知は、携帯端末３３に対してリアルタイムで自動的になされる所謂ＰＵＳＨ通知であり、管理装置６により管理サーバ３１を介して携帯端末３３へと行われる。こうして、携帯端末３３においてプッシュにより通知された情報を受信すると、携帯端末３３に例えば図１０の画面１０１を表示させる。同図に示すように、来店通知の画面１０１では、対象者の「氏名」、カード１０を挿入した「日付」と「時間」、及び遊技を開始した遊技機１の「機種名」と「台番」が表示されるとともに、カードユニット２で対象者が選択した実際の「貸出単価（選択単価）」も表示されることから、対象者の遊技状況を把握することができる。画面１０１下側の「確認」ボタン１０１ａがタッチ操作されると、この画面１０１を表示する前の画面に復帰する（或いはメニュー画面９１に遷移する）。
【００７８】
尚、本実施形態の遊技場用管理システム１００について、遊技場Ａで会員登録した遊技者を中心に説明したが、他の遊技場Ｂ，Ｃで会員登録した遊技者も遊技場Ａと同様、携帯端末３３等を利用したサポート家族による設定情報の設定や来店通知ができることは勿論である。
【００７９】
以上説明したように本実施形態の遊技場用管理システム１００では、遊技場Ａの管理者は、依存症対策に取り組む会員が自ら申告した貸出単価を実際に選択しているか否かを、モニタ６ｍの画面８１で確認することができるので、各会員の取組状況を客観的に把握した上で適切な支援を行うことができる。
【００８０】
本発明は、上記した実施形態にのみ限定されるものではなく、以下のように変形又は拡張したり、各変形例を上記した実施形態と組み合せたり、各変形例を組み合わせたりしてもよい。
【００８１】
貸出単価毎の口座に区別して持玉数・貯玉数を記憶し（図５（ａ）（ｂ）参照）、カードユニット２にて選択した貸出単価と合致する口座の持玉数・貯玉数の範囲内で再プレイを可能としたが、選択した貸出単価と異なる貸出単価の持玉数・貯玉数を遊技に利用できるようにしてもよい。具体的には、１円の貸出単価を選択した場合に、（利用元単価（例えば４円））／（利用先単価（例えば１円））を乗算した玉数に換算することにより、４円の持玉数１０００個を口座に所有している状態で、その持玉を１円の貸出単価で使用するときに４０００個に換算して再プレイを可能とすることができる。
【００８２】
貸出単価として１円、２円、４円の３種類の金額を例示したが、これに限定されるものではなく、任意の金額を２種類以上設定することができる。
遊技場用管理システム１００において、遊技者本人の申告に基づく申告単価を設定可能としたが、サポート家族からの要請に基づく申告単価を設定可能に構成してもよい。例えば、前記アプリケーションソフトの機能により、携帯端末３３の画面上（図示略）で選択した貸出単価を管理装置６へ送信することで、申告単価として記憶部６０ａに記憶させることができる。
【００８３】
管理装置６は、特別会員において申告単価に係る判定結果が申告単価の不適合を示した頻度が所定の基準に達したと判定したときに、カードユニット２において、当該特別会員に対して申告単価以外の貸出単価の選択を禁止させるようにしてもよい。
【００８４】
具体的には例えば、管理装置６は、カードユニット２における画面７２でＹＥＳボタン７２ａ（図７参照）が操作されることにより単価選択不適合者として特定した日数或いは回数を特別会員毎に集計し、その集計値が所定の基準に達したと判定した場合、カード１０挿入時の画面７１で申告単価（例えば１円）以外の貸出単価の選択ボタン６２ｂ，６２ｃに禁止マークを付する（グレーアウト表示Ｍとは異なるマークを表示する）とともに、その選択ボタン６２ｂ，６２ｃの入力操作を受付けない状態とする、選択禁止手段として構成してもよい。
【００８５】
図５（ｄ）の会員遊技集計データを営業日単位で集計したが、各データの集計期間はこれに限定されない。例えば各データの集計期間を、１週間単位、１ヶ月単位、１年単位とする等、適宜の期間を対象とする集計が可能である。
管理装置６側で算出するデータの種類は、本実施形態に限定されるものではなく、遊技機１やカードユニット２から受信するデータに基づいて、様々な種類のデータを求めることが可能である。
【００８６】
会員カード１０使用中のデータを会員のデータとして記憶するようにしたが、会員カード１０を使用していない期間であっても、例えば前記顔画像により特定の会員であることが判別できる期間については、会員カード１０使用中のときと同様に、会員ＩＤと対応付けたデータとして記憶するようにしてもよい。
或いは、会員カードを挿入口２８に挿入しない限り遊技を行うことができない完全カード式遊技機を採用してもよい。この場合には、全ての遊技者を会員カード１０により完全に識別することが可能となり、その全ての遊技データを依存症対策のデータとして扱うことができる。
【００８７】
カメラ２３をカードユニット２と一体的に設けたが、カメラ２３の位置は遊技者の顔が撮像可能な位置であればどこの位置でもよく、カードユニット２と一体である必要も無い。
中継装置４を２台の遊技機１に対して１台ずつ設けるようにしたが、中継装置４と遊技機１との対応関係はこれに限定されない。中継装置４と遊技機１との台数の比は、３対１や４対１であってもよい。画像処理装置３０についても同様に、４台のカメラ２３に対して１台ずつの対応関係に限定されるものではない。
【００８８】
遊技機１としてパチンコ機を例示したが、スロットマシンや、じゃん球遊技機であってもよい。
上記した各数値は例示であり、どのような数値を採用してもよいことは勿論である。また、上記した記載中における「記憶」及び「登録」について、例えば管理装置６の記憶部６０ａ等への「記憶」を「登録」と称する等、それらの意味を同じくするものとして把握することができる。
【符号の説明】
【００８９】
図面中、２はカードユニット（遊技装置）、６は管理装置、６０は制御部（申告単価記憶手段、選択単価記憶手段、単価判定手段、計数手段、算出手段、レイアウト表示手段）、６０ａは記憶部（申告単価記憶手段、選択単価記憶手段）、６０ｍはモニタ（表示手段、レイアウト表示手段）、１００は遊技場用管理システムである。
【図１】
2019195569.tif 000003
【図２】
2019195569.tif 000004
【図３】
2019195569.tif 000005
【図４】
2019195569.tif 000006
【図５】
2019195569.tif 000007
【図６】
2019195569.tif 000008
【図７】
2019195569.tif 000009
【図８】
2019195569.tif 000010
【図９】
2019195569.tif 000011
【図１０】
2019195569.tif 000012